Podtech/llm-jp-corpus-v4-ja_patent huggingface dataset:
(57)【要約】【課題】取付や手入れの必要がない方法で効果的に雨粒を飛ばし、雨天時の自動車乗降を楽にする装置を提供する【解決手段】圧搾エアーを作成するコンプレッサーと、前記圧搾エアーをルーフ位置まで案内する案内部材と、前記圧搾エアーを複数のエアー噴射ノズルに配分する送気管と、前記圧搾エアーを噴射させる前記複数のエアー噴射ノズルとを有し、ドア開時に前記圧搾エアーを前記エアー噴射ノズルから自動車進行方向に対して直角に噴射させることにより、ドアと自動車本体との間に落ちる雨粒を吹き飛ばすことを特徴とする。【選択図】図２
2014237447.tif 000002
【特許請求の範囲】
【請求項１】
雨天時乗降の際に雨に濡れにくくするための自動車用エアー噴射装置であって、
圧搾エアーを作成するコンプレッサーと、
前記圧搾エアーを送気管へ案内する案内部材と、
前記圧搾エアーを複数の噴射ノズルに配分する前記送気管と、
前記圧搾エアーを噴射させる前記複数の噴射ノズルと、
を有し、ドア開時に前記圧搾エアーを前記複数の噴射ノズルから自動車進行方向に対して直角に噴射させることによりドアと自動車本体との間に落ちる雨粒を吹き飛ばすことを特徴とするエアー噴射装置。
【請求項２】
前記複数の噴射ノズルは自動車のドア枠上辺に配置されていることを特徴とする請求項１記載のエアー噴射装置。
【請求項３】
前記複数の噴射ノズルからの前記圧搾エアーの噴射はドアの開時に開始され、ドアの閉時に終了することを特徴とする請求項１又は２記載のエアー噴射装置。
【発明の詳細な説明】
【技術分野】
【０００１】
本発明は自動車乗降時に雨に濡れないようにするためのエアー噴射装置に関する。
【背景技術】
【０００２】
通常、雨天時に自動車に乗車するときは、乗車前に傘をたたみ急いで車内に入るか、車内に入ってから外に出ている傘をたたむ。また、降車時は傘を先に外に出して開いた後に体を外に出す。
【先行技術文献】
【特許文献】
【０００３】
【特許文献１】特開２００３−３１５号公報
【特許文献２】特開２００５−３２９９１７号公報
【特許文献３】特開２００７−２２５０６号公報
【発明の概要】
【発明が解決しようとする課題】
【０００４】
上述したように、雨天時における自動車の乗降は、傘の開閉が車内でできないため、衣服等が雨にぬれやすく厄介である。
【０００５】
この問題を解決すべく、特許文献１乃至３には、自動車の乗降時、頭上に自動的に雨除け具が水平方向に突出する発明が開示されている。いずれの発明も、自動車のルーフ上に設置した収納箱に蛇腹状に畳んだカバーを収納し、ドアを開くと前記カバーも開き、乗降者の頭上に雨除けカバーが出現するといった構成をとる。
【０００６】
しかしながら、これらの発明はいずれも細長い収納箱をルーフ上に常設又は仮設する必要があるため、常設の場合には自動車の外観を損なううえ、走行時に風の抵抗を受けて音を立てたり飛ばされたりする心配がある。また、仮設の場合には、雨が降ってきたときにだけ取り付けるのは面倒である。さらに、使用後には濡れたカバーや収納箱の後始末も必要となる。
【０００７】
上述の問題に鑑み、本発明においては、取付や手入れの必要がない方法で効果的に雨粒を飛ばし、雨天時の自動車乗降を楽にする装置を提供することを課題とする。
【課題を解決するための手段】
【０００８】
上記課題を解決するために、本発明に係る自動車用エアー噴射装置は、圧搾エアーを作成するコンプレッサーと、前記圧搾エアーをルーフ位置まで案内する案内部材と、前記圧搾エアーを複数のエアー噴射ノズルに配分する送気管と、前記圧搾エアーを噴射させる前記複数のエアー噴射ノズルとを有し、ドア開時に前記圧搾エアーを前記エアー噴射ノズルから自動車進行方向に対して直角に噴射させることによりドアと自動車本体との間に落ちる雨粒を吹き飛ばすことを特徴とする。
【発明の効果】
【０００９】
雨天時、自動車の乗降の際に雨に濡れにくくなる。
【００１０】
製造段階で自動車に組み込まれる装置であるため、組付工事を必要としたり降雨時に取り付けたりするものと比較して、手間が要らない。
【図面の簡単な説明】
【００１１】
【図１】本実施形態のエアー噴射装置の部品配置を示す自動車のドア枠近辺の縦断面図である。
【図２】ドア開時に本装置からエアーが噴射する状態を示す自動車の平面図である(ルーフ除去)。
【図３】エアー噴射装置の噴射ノズルと送気管の部分の横断面図である。
【図４】エアー噴射装置の噴射ノズルの配置を示す自動車窓枠部分の拡大図である。
【発明を実施するための形態】
【００１２】
以下、本発明の実施形態について図を用いて説明する。図１に示すように、本実施形態のエアー噴射装置は、コンプレッサー１、案内部材２、送気管３、噴射ノズル４によって構成される。
【００１３】
コンプレッサー１は車体下に配置され、バッテリーからの電力または直接エンジンの回転を利用して圧搾エアーを作成する。圧搾エアーはコンプレッサー１内に貯められ、後述のドア開操作に反応して送出される。コンプレッサー１から送出される圧搾エアーは、センターピラー７の内部に鉛直に設置された案内部材２を通り、ルーフ外板５と室内のルーフトリム６との間に配置された送気管３に運ばれる。
【００１４】
送気管３は複数の噴射ノズル４に圧搾空気を配分する。噴射ノズル４は前後ドア枠９の上辺に水平に配置され、該配置部分の長さは自動車及びドアの大きさによるが、通常、1つのドアで４０−５０ｃｍの幅に渡り、それぞれ１ｃｍ以下の間隔で、仰角３０−４０度の角度をもって圧搾空気を噴射できるよう配置されている。
【００１５】
圧搾空気噴射のタイミングはドア８の開閉と連動し、開時に開始され、閉時に終了する仕組みになっている。図２は、ドア開時に噴射ノズル４から圧搾空気が噴射する状態を示す。図３は送気管３及び噴射ノズル４の配置を示す横断面図である。
【００１６】
本装置はエンジン停止時でも、バッテリーの電力供給により利用が可能になっている。また、メインスイッチが運転席近くのインストルメントパネル上に設置され、ドライバーの判断でオン／オフが可能となっている。
【００１７】
以上、本発明の有する特徴及び優れた点を上記実施形態に記載したが、本発明は、本発明の原理の範囲内で、本願の特許請求の範囲で使用されている言葉を広く一般的な意味にまで広げて実施することが可能である。特にコンプレッサー、案内部材、送気管の形状及び配置、コンプレッサーの動力、装置のメインスイッチの有無と設置位置等については様々の実施形態が可能であり、それらについて本実施形態と異なる形態又は方法による実施は、本発明の技術的範囲に含まれるものと解する。
【符号の説明】
【００１８】
１  コンプレッサー
２  案内部材
３  送気管
４  噴射ノズル
５  ルーフ外板
６  ルーフトリム
７  センターピラー
８  ドア
９  ドア枠
【図１】
2014237447.tif 000003
【図２】
2014237447.tif 000004
【図３】
2014237447.tif 000005
【図４】
2014237447.tif 000006
(57)【要約】【課題】  従来、足の裏にあるツボを指圧する場合、素足の状態で手の指をツボに押し当てて押圧することによって指圧を行っていた。  近年内底の足のツボに当る部位に尖鋭突起状の指圧具を設けた靴が提供され、靴を履くことによって自動的に足のツボが指圧されるようになったが、靴を脱いだ場合は指圧されない欠点があった。【解決手段】  本発明は靴下の内側底部の足のツボに当る複数の部位に突起状の指圧具を着脱自在に設けたことを特徴とする指圧機構の靴下。【選択図】図１
2014237914.tif 000002
【特許請求の範囲】
【請求項１】
靴下の内側底部の足のツボに当る複数の部位に、突起状の指圧具を設けたことを特徴とする指圧機構の靴下。
【請求項２】
指圧具を着脱自在に設けたことを特徴とする請求項１記載の指圧機構の靴下。
【発明の詳細な説明】
【技術分野】
【０００１】  本発明は靴下の底部の内側で足裏のツボに当る複数の部位に突起状の指圧具を設け、歩いたり、靴を履いたりすることによって、自動的に足の裏のツボを指圧する指圧機構の靴下に関するものである。
【背景技術】
【０００２】  従来、足の裏にあるツボを指圧する場合、素足の状態で手の指をツボに当てて押圧することによって指圧を行っていた。
近年、内底の足のツボに当る部位に尖鋭突起状の指圧具を設けた靴が提供され、靴を履くことによって自動的に足のツボが指圧されるようになったが、靴を履いているときだけ指圧され、靴を脱いだ場合は指圧されない欠点があった。
又、表面に突起状の指圧具を設けた靴の中敷が提供され、歩行中の指圧に限らず、中敷を取り出して使用することが出来るものも提供されていて、必要な時に使用し、不要の場合は通常の中敷と交換して使用することができるようになっている。
【先行技術文献】
【０００３】
【特許文献１】
【特許文献２】
【発明の概要】
【発明が解決しようとする課題】
【０００４】  足の裏に存在するツボは人体の内臓疾患に関連するものが多く、ツボの選択によって患部を回復させることができることは周知であるが、患者自身が自分の足の裏を指圧する場合、ツボの位置を正確に探し当てなければならず、適切な治療効果を得ることは難しかった。
従って効果のある治療には、第三者の手を借りるか、専門の治療士に頼らなければならなかった。
【課題を解決するための手段】
【０００５】  上記課題を解決するため本発明は、靴下の内側底部の足のツボに当る複数の部位に突起状の指圧具を設けたものである。
【発明の効果】
【０００６】  上記のように構成された本発明には次のような効果がある。
（ａ）  靴下の内底部に、足裏のツボに当る複数の部位に突起状の指圧具を設けることによって、靴下を履いた状態で歩行することによって自動的に足のツボが指圧され、複数個の指圧具によって殆ど同時に複数箇所が指圧されるので効果は大きい。
（ｂ）  指圧具が着脱自在に設けられていることによって、必要箇所の指圧具のみで指圧することができるので、適切な指圧効果が得られる。
（ｃ）  靴を履かない時でも靴下を履いて歩行することによって指圧効果が得られる。
（ｄ）  指圧具は特殊な材質のものではなく、鉄、アルミ等の金属や合成樹脂を使用することによって大量に製造することができ、安価に提供できる。
【図面の簡単な説明】
【０００７】
【図１】  本発明の底部内側の平面図
【図２】  側面からみた本発明を履いた状態図
【図３】  指圧具の一例を示す拡大斜視図
【発明を実施するための形態】
【０００８】  以下、本発明の実施の形態を説明する。
（ａ）  靴下の内側底部であって、足裏のツボに当る複数の部位に突起状の指圧具を設ける。
（ｂ）  指圧具を着脱自在に設ける。
上記のように構成された本発明を実際に使用する場合は次のようになる。
通常の靴下を履くように本発明の指圧機構の靴下を履くと、靴下の内底部に設けられた突起状の指圧具が足裏のツボを押圧するようになり、その状態で靴を履いて歩行すると足裏のツボが指圧具によって指圧される。
指圧具は着脱自在に設けられているので、もし必要のない指圧具を感じた場合、必要のない指圧具を取りはずせば快適な指圧効果が得られる。
又、指圧具が適切な位置に設けられていない場合も、取り付け位置を容易に変更することができるので、誰にでも快適に使用できる特徴がある。
【符号の説明】
【０００９】１  靴下
２  底部
３  指圧具
【図１】
2014237914.tif 000003
【図２】
2014237914.tif 000004
【図３】
2014237914.tif 000005
(57)【要約】【課題】首下部から大腿部までを一着で保護するインナーウエア。【解決手段】円筒型伸縮性繊維素材の上縁部から下部の位置に左右対称に同形の腕口を設けるか、あるいは前記腕口と共に下縁部から上部の位置に左右対称に同形の脚口を設けてなるインナーウエア。【選択図】図１
2014237906.tif 000002
【特許請求の範囲】
【請求項１】
円筒型の伸縮性繊維素材の上縁部から下部の位置に左右対称に同形の腕口を設けるか、あるいは円筒型の伸縮性繊維素材の上縁部から下部の位置に左右対称に同形の腕口を設け、かつ下縁部から上部の位置に左右対称に同形の脚口を設けたことを特徴とするインナーウエア。
【発明の詳細な説明】
【技術分野】
【０００１】
本発明は、Ｔシャツ、ランニングシャツ、腹巻、ブラジャー、コルセット、タンクトップ、ネグリジェ、トランクス、パンティー等のいわゆる肌着類と称されるインナーウエアに関する。
【背景技術】
【０００２】
従来、インナーウエアとしては、Ｔシャツ、トランクスに代表されるように、身体の
上半身と下半身とにそれぞれ別々に被着するのが一般的であった。しかしながらこれらを別々に身に付けていると、例えば夜間寝た場合などＴシャツがずれ上ってお腹が出てしまったり、またトランクスもずり下ってしまうことがあった。そのために古くは腹巻などをしてそれらの現象を防止していた。
また特殊な下着としてスポーツ選手が身体補正を行うために、上下一体のボディースーツが知られているが、このボディースーツは、排尿、排便等の時にはすべて脱がなければならなかった。
【発明の概要】
【発明が解決しようとする課題】
【０００３】
そこで本発明者は、身体の首下部、胸部、腹部および腰部を一つのインナーウエアで保護し、かつ着脱が容易なインナーウエアについて種々検討を重ねた結果本発明を完成するに至った。
【課題を解決するための手段】
【０００４】
すなわち、本発明は円筒型の伸縮性繊維素材の上縁部から下部の位置に左右対称に同形の腕口を設けるか、あるいは前記腕口と共に下縁部から上部の位置に左右対称に同形の脚口を設けてなるインナーウエアである。
【発明の効果】
【０００５】
本発明のインナーウエアは、着脱が容易、就寝時にもずれない、排尿、排便時にも着衣のまま用が足せる、医療、診察時等に下着を着脱しなく良い、マッサージ、胸をはだけることなく授乳等が容易に行える、ボタン、ゴムを使用しないので身体にやさしい、老人介護時のパンツの取替えが容易、一部の着脱で上半身、下半身等を部分的に拭くことができる。身体にフィットする、洗濯、取扱いが容易、インナーウエアの前後上下を気にすることなく着衣することができる等の種々の利点を有する。
そして本発明のインナーウエアは、家庭内での普段着としての着衣に適しており、特にパジャマ、ネグリジェの代替衣としての用途に好適である。
【図面の簡単な説明】
【０００６】
【図１】インナーウエアの平面図
【図２】インナーウエアの他の態様を示す平面図
【図３】インナーウエアの他の態様を示す平面図
【図４】インナーウエアを着衣したときの側面図
【発明を実施するための形態】
【０００７】
次に本発明を図面を参照しながら説明する。
図１は、円筒型の伸縮性繊維素材１からなるインナーウエアの平面図である。インナーウエアは、円筒型の伸縮性繊維素材１の上縁部２より下部の位置に左右対称に同形の腕口３，３´を設ける。この腕口３，３´の形状は、図１に示したように円筒型の伸縮性繊維素材１を平面的に見たときにＵ字形状にカットする外、例えば略Ｖ字形、半円形、ナスビ形等種々の形状とすることができる。
【０００８】
前記の腕口３，３´を設ける位置は、肩より上位の部位をどこまで保護するかによって適宜選択すればよい。
【０００９】
また本発明のインナーウエアの他の態様としては、図２に示すように、前記腕口３，３´に加えて円筒型伸縮性繊維素材１の下縁部４より上部の位置に左右対称に同形の脚口５，５´を設ける。脚口５，５´の形状も図１に示したようにＵ字形状にカットする外、例えば脚を入れたときの形態がノーマル型（レギュラーカット）、ハイレグ型（ハイレグカット）等種々の形態になるように設けることができる。
この脚口５，５´を設ける位置も股部より下部をどの程度保護するかによって適宜選択すればよい。
またインナーウエアの円筒型伸縮性繊維素材１の下縁部の中央部の表裏面にホック６等を設けることによって股間部を保護することができる。
【００１０】
また本発明のインナーウエアは図３に示すように円筒型の伸縮性繊維素材１の上縁部部位を首廻りを保護するために突出するような形状になるように開口部２´を狭くする。さらに下縁部にも着衣時の股部のもたつきを防止したり、股間部を隠すために突出するような形状になるように開口部４´を狭くする。
【００１１】
インナーウエアの円筒型の伸縮性繊維素材１に用いる材質としては、木綿、絹、羊毛等の天然素材、あるいは、ナイロン、ポリウレタン等の合成繊維が用いられ、所望によりこれらの繊紡の混紡したものが使用できる。
特にニット、ゴアテックス、スパンテックス等の伸縮性を有するストレッチ素材を用いると図４に示したようにさらに身体にフィットし、ボティースーツとすることができるので、例えば女性の場合は、ブラジャー、コルセットを着衣する必要がなくなる。また反対に、身体のサイズより大きくすることによってダブダブの状態で着衣することができるのでリラックスした状態となり、特にパジャマ、ネグリジェの用途に適している。
【００１２】
次に本発明のインナーウエアの使用方法について説明する。本発明のインナーウエアを頭から被り、脚口５，５´からそれぞれ左右の足を出す。次にインナーウエアの上縁部２を引き上げて、腕口３，３´から左右の手を通すことによって着衣することができる。このように着衣すると図４に示すようにインナーウエアの脚口５，５´より下部７は内股部に隠れて外観上見えない状態となる。
本発明のインナーウエアは上部・下部・前部・後部何れでも使用できる。
本発明のインナーウエアは予め円筒形の伸縮性繊維素材１を用意し、これに腕口３，３´および脚口５，５´を設けても良いが、はじめから機械により編み上げて調製することもできる。
本発明のインナーウエアをはじめから機械により編み上げて調製すると、円筒形の伸縮性に強・弱を組合せることが可能であり、円筒型の伸縮性繊維素材１に用いる材質を変えることも可能となる。例えば首回り部は伸縮性を弱く保温性のある材質にする、腕口部は、伸縮性はそのままに透湿性のある材質にする、胴部は伸縮性を強くしてストレッチ効果を持たせる、脚口部は伸縮性はそのままに透湿性のある材質にすることで、体にフィットした快適なインナーウエアとなる。
【符号の説明】
【００１３】
１・・・・円筒型伸縮性繊維素材
３・・・・腕口
３´・・・腕口
５・・・・脚口
５´・・・脚口
【図１】
2014237906.tif 000003
【図２】
2014237906.tif 000004
【図３】
2014237906.tif 000005
【図４】
2014237906.tif 000006
(57)【要約】【課題】  釜から湯水を汲む作法に使用する茶柄杓は、湯水を汲むのみで、拝見する茶道具ではなかった。これは、昔の技術を引き継いで竹のみで構成しているためである。【解決手段】  本発明は、柄１ｂに綺麗な模様２を優美に仕上げることを特徴とする茶柄杓１を提供することにより、茶事において、亭主が、釜からお湯を汲み、抹茶の入った茶碗に注ぎ、お茶を点てる作法で、亭主が茶柄杓１の趣向を客に感じ取らせ、拝見の茶道具となり得ることにより、上記問題を解決するものである。【選択図】図１
2014004101.tif 000002
【特許請求の範囲】
【請求項１】
柄の一部を蒔絵、沈金、螺鈿の加飾技法で優美に創り仕上げることを特徴とする茶柄杓。
【発明の詳細な説明】
【技術分野】
【０００１】
本発明は、茶事で亭主の趣向を感じ取らせ、拝見することを可能とする茶柄杓に関するものである。
【背景技術】
【０００２】
従来の茶柄杓は、昔の技術を引き継いできた専門の柄杓師が作っており、（たとえば、非特許文献１参照）湯水を汲む作法で使うのみである。
【先行技術文献】
【非特許文献】
【０００３】
【非特許文献１】淡交社編集局編  「茶の湯実践講座  水屋の心得」、株式会社  淡交社（平成１１年２月２０日）  Ｐ１４２〜１４４
【発明の概要】
【発明が解決しようとする課題】
【０００４】
従来の茶柄杓では、茶事で湯水を汲む作法で使うのみで、拝見に使われることはなかった。
【０００５】
本発明は、このような従来の問題点を解決するものであり、茶事の作法、拝見に使われる茶柄杓を実現することを目的とするものである。
【課題を解決するための手段】
【０００６】
本発明は、上記目的を達成するために茶柄杓の柄の一部を優美に創り仕上げたものである。
【０００７】
茶柄杓の柄の一部に蒔絵、沈金、又は螺鈿の加飾技法で綺麗な模様付けすることにより、上記課題を解決するものである。
【発明の効果】
【０００８】
上述したように本発明の茶柄杓は、茶事において、亭主が湯を汲み、お茶を点てる作法時に、客の目に留まり趣向を感じ取らせ、拝見の茶道具になり対話が弾む効果を発揮するものである。
【図面の簡単な説明】
【０００９】
【図１】本発明の実施形態を示す茶柄杓の斜視図
【発明を実施するための形態】
【００１０】
以下、本発明の実施の形態を図１に基づいて説明する。
【００１１】
図においては、１は茶柄杓で、合１ａに柄１ｂを取付けてある。柄１ｂに綺麗な模様２を仕上げている。前記綺麗な模様２は、蒔絵。沈金、及び螺鈿の加飾技法を用いるものである。前記構成した茶柄杓で釜から湯を汲み、お茶を点てる作法時に、亭主が茶柄杓の趣向を客に感じ取らせる効果が得られ、拝見の茶道具となり得る。
【符号の説明】
【００１２】
１  茶柄杓
１ａ  合
１ｂ  柄
２  模様  
【図１】
2014004101.tif 000003
(57)【要約】      （修正有）【課題】国内の電力不足を補う。原発に代わる化石燃料を使わない自然エネルギー。未来志向の発電を目的としたものです。【解決手段】母船は、潜水艦のような形で、直径１５ｍ長さ６０ｍの筒形で、波の直撃を避ける為に水深５ｍに沈んでおり、１５ｍ間隔でフックを付け、海底独立基礎からのロープで引っ張り固定する。この母船の周囲には、独立大型うき式発電機をできるだけ多く設置する。独立大型うき式発電機の水中部は、直径５ｍ高さ１０ｍの水中うき７で、下部に浮力調整オモリ８があり、うきの上部に歯車用横溝の付いた芯棒９（直径１ｍ長さ約２５ｍ）を立て、平均海面高さ６を芯棒の中央に調節して、海底独立基礎１４からのロープでオモリ下部を引っ張り固定する。洋上の巨大波の上下運動の力を利用して発電する未来志向の発電基地と独立大型うき式発電機を考案する。【選択図】図２
2014004989.tif 000002
【特許請求の範囲】
【請求項１】
自然エネルギー  洋上の巨大波の上下運動の力を利用して発電する未来志向の発電基地と独立大型うき式発電機を考案する。
発電基地がイメージしやすいように、仮寸法を入れてみた。
母船は、潜水艦のような形で、直径１５ｍ長さ６０ｍの筒形で、水深５ｍに沈んでいる。
中央部に水上へ直径５ｍ高さ１５ｍの連絡通路塔があり、その上には風力発電装置を取り付けることもできる。
内部には電圧・電量調節設備や非常時の生活スペースがある。
母船は、＠１５ｍ間隔でフックを付け、海底独立基礎からのロープで引っ張り固定する。
母船の周囲には、独立大型うき式発電機をできるだけ多く設置する。
たとえば、一列に＠１５ｍでタテヨコ１００基づつ並べると１００００基となり、広さは１．５ｋｍ×１．５ｋｍとなる。
独立大型うき式発電機同士の、追突防止の為、水中部の太くなっている所を、お互いに十文字四方にフックを付けて、１０ｍのロープで引っ張る。
また、独立大型うき式発電機と母船も２７．５ｍのロープで引っ張り、全体を一体化する。
発電基地全体を上空から見れば、母船を中心に、うき式発電機が整然と並んだ巨大風呂敷を海に広げたように見える。
発電した電気は、母船に集め、調節して、海底ケーブルで地上に送電する。
独立大型うき式発電機がイメージしやすいように、仮定場所の一年間の平均波上下幅を１０ｍと仮定して、仮寸法を入れてみた。
独立大型うき式発電機の水中部は、直径５ｍ高さ１０ｍの水中うきで、下部に浮力調整オモリがあり、うきの上部に歯車用横溝の付いた芯棒（直径１ｍ長さ約２５ｍ）を立て、平均海面高さを芯棒の中央に調節して、海底独立基礎からのロープでオモリ下部を引っ張り固定する。
芯棒に直径５ｍ高さ５ｍの浮き輪を通し、芯棒の上端にストッパー蓋を取付け、浮き輪が外れないようにする。
浮き輪の上部には、直径２ｍの歯車８枚が縦にそれぞれ対角線上にあり、芯棒の横溝に取り付いて、上下運動時に回転し、発電機の直径０．５ｍ歯車に伝え発電する。
浮き輪の上下運動範囲は最大１９ｍとし、それ以上の大波の時は波の中へ沈む。
仮定場所の一年間の平均波上下幅が５ｍの場所では、芯棒（直径１ｍ長さ約２０ｍ）浮き輪の上下運動範囲は最大１４ｍとなる。
ロープは、強度と柔軟性があり、腐食しない、目立つ色で長寿命とし、取付部にはヨリモドシを使う。
【発明の詳細な説明】
【技術分野】
【０００１】      洋上の巨大波の上下運動の力を利用して発電する未来志向の発電基地と独立大型うき式発電機を考案する。
【発明の概要】
【発明が解決しようとする課題】
【０００２】２００海里内の巨大波で発電して国内の電力不足を補う。原発に代わる化石燃料を使わない未来志向の発電を目的としたものです。
【課題を解決するための手段】
【０００３】発電基地がイメージしやすいように、仮寸法を入れてみた。
母船は、潜水艦のような形で、直径１５ｍ長さ６０ｍの筒形で、波の直撃を避ける為に水深５ｍに沈んでいる。
中央部に水上へ直径５ｍ高さ１５ｍの連絡通路塔があり、その上には風力発電装置を取り付けることもできる。連絡通路塔は、国旗の白色と赤色で塗装する。
内部には電圧・電量調節設備や非常時の生活スペースがある。
母船は、＠１５ｍ間隔でフックを付け、海底独立基礎からのロープで引っ張り固定する。
母船には、クレーンやリフトや魚類ソナーやＧＰＳ機能や津浪センサーや避雷設備を備え、船舶の追突事故防止放送を流し、光でも合図を送る。
母船の周囲には、独立大型うき式発電機をできるだけ多く設置する。
たとえば、一列に＠１５ｍでタテヨコ１００基づつ並べると１００００基となり、広さは１．５ｋｍ×１．５ｋｍとなる。
独立大型うき式発電機同士の、追突防止の為、水中部の太くなっている所を、お互いに十文字四方にフックを付けて、１０ｍのロープで引っ張る。
また、独立大型うき式発電機と母船も２７．５ｍのロープで引っ張り、全体を一体化する。
発電基地全体を上空から見れば、母船を中心に、うき式発電機が整然と並んだ巨大風呂敷を海に広げたように見える。
発電した電気は、母船に集め、調節して、海底ケーブルで地上に送電する。【０００４】独立大型うき式発電機がイメージしやすいように、仮定場所の一年間の平均波上下幅を１０ｍと仮定して、仮寸法を入れてみた。
独立大型うき式発電機の水中部は、直径５ｍ高さ１０ｍの水中うきで、下部に浮力調整オモリがあり、うきの上部に歯車用横溝の付いた芯棒（直径１ｍ長さ約２５ｍ）を立て、平均海面高さを芯棒の中央に調節して、海底独立基礎からのロープでオモリ下部を引っ張り固定する。
芯棒に直径５ｍ高さ５ｍの浮き輪を通し、芯棒の上端にストッパー蓋を取付け、浮き輪が外れないようにする。浮き輪は、国旗の白色と赤色で塗装する。
浮き輪の上部には、直径２ｍの歯車８枚が縦置きでそれぞれ対角線上にあり、芯棒の横溝に取り付いて、上下運動時に回転し、発電機の直径０．５ｍ歯車に伝え発電する。
浮き輪の上下運動範囲は最大１９ｍとし、それ以上の大波の時は波の中へ沈む。
仮定場所の一年間の平均波上下幅が５ｍの場所では、芯棒（直径１ｍ長さ約２０ｍ）浮き輪の上下運動範囲は最大１４ｍとなる。
水中うきと芯棒と浮き輪の内部には、発泡材が充填してある。【０００５】ロープは、強度と柔軟性があり、腐食しない、目立つ色で長寿命とし、取付部にはヨリモドシを使う。
【発明の効果】
【０００６】  四六時中、休み無く発電し続ける電気を自然エネルギーとして無限に利用できる。
２００海里内に発電基地を数多く造れる。燃料費がいらない。電気料金も格安になる。
国内や世界のエネルギーは全て電気に変わる。ＣＯ２が出ないので地球環境にやさしい。
【図面の簡単な説明】
【０００７】
【図１】母船の断面図
【図２】独立大型うき式発電機の断面図
【発明を実施するための形態】
【０００８】図１母船の断面図においては、１は平均海面  ２は電圧・電量調節設備室や非常時の生活スペース  ３は水上への連絡通路塔  ４は海底独立基礎  ５はロープ
【０００９】図２独立大型うき式発電機の断面図においては、６は平均海面  ７は水中うき  ８は浮力調整オモリ  ９は芯棒  １０はストッパー蓋  １１は浮き輪  １２は歯車  １３は追突防止ロープ  １４は海底独立基礎  １５はロープ
【図１】
2014004989.tif 000003
【図２】
2014004989.tif 000004
(57)【要約】【課題】  試験管の内容物を識別するために、プラスチックの色別カラーリングを提供する。【解決の手段】  円筒状のプラスチックリングの側面を一部切り欠き、弾性を利用して試験管に着脱可能にした識別のためのカラーリングを特徴とする。【選択図】図１
2014004572.tif 000002
【特許請求の範囲】
【請求項１】
プラスチックの円筒（１）の側面を一部切り欠いた（２）構造をなす色別の試験管用マーカー。
【発明の詳細な説明】
【技術分野】
【０００１】  この発明は、円筒の側面を一部を切り欠いた構造をなす試験管の識別の為のマーカーに関するものである。
【背景技術】
【０００２】  従来、化学実験用の試験管の識別の為のマーカーは貼り付けるタイプであった。
【発明の開示】
【発明が解決しようとする課題】
【０００３】  これには、次のような欠点があった。
試験管の内容物を識別するために貼り付けるラベルは、剥がした後に接着剤が残り、試験管を洗浄しても容易には落とすことができず、削り取ったり薬品で落とす以外に方法がなかった。本発明は、以上のような欠点をなくすためになされたものである。
【課題を解決するための手段】
【０００４】  短い筒（１）の側面を一部切り欠いた（２）プラスチックのカラーリングを設ける。
本発明は、以上の構成よりなる試験管の内容物を識別するためのリング状のマーカーである。
【発明の効果】
【０００５】  プラスチックの弾性を利用して容易に着脱可能なため、接着剤等の跡も残らず試験管の洗浄が簡単にできる。繰り返し使用することが可能なため経済的である。
【発明を実施するための最良の形態】
【０００６】  以下、本発明を実施するための最良の形態について説明する。
短いプラスチックの円筒の側面を一部切り欠いた構造のリング状のマーカーである。リングの切り欠きの部分を試験管の側面に当て、そのまま指で押し込み、パチンと挟み込むように弾性を利用して固定する。数種類の色違いのリングを用意し、色によって試験管の内容物を識別する。
外すときは、切り欠き部分を反対側にして親指と人指し指の腹を用いて手前に引いて外す。
【図面の簡単な説明】
【０００７】
【図１】  本発明の斜視図である。
【図２】  本発明を実際に使用した時の斜視図である。
【符号の説明】
【０００８】１  円筒
２  円筒の側面の切り欠き部分
３  試験管
【図１】
2014004572.tif 000003
【図２】
2014004572.tif 000004
(57)【要約】【課題】緊急避難時に早急に組み立てられ、使用する人のプライバシーが保つことが出来る事。【解決手段】木と木の交わる所は互いの溝を嵌め込むだけで組み立てが出来る、そして遮光性の天幕を全体に覆う事で衣服の着替えが出来、就寝時に安心して寝られ、ベッドは固くも無く、落ちこむことの無い適当なシートが長期の生活に必要です。【選択図】図７
2014004307.tif 000002
【特許請求の範囲】
【請求項１】
二枚の板の一端を蝶番で結び  これを二つのＡ型にして間隔をあけて立ち上げ下部の周囲に板を渡して木枠とします、特にＡ型に接する所の内側には更に板を入れ  二枚の板でＡ型を挟みます、
そしてマットの前後を巻いた丸棒をＡ型の内側から外側へ出し、木枠の二枚の板を越して外側に出し  その上に角材を置き金具で留める。
【請求項２】
シート・ベルトを十字型に平織りにしてマットとする、そして長方形のマットの両側に金属製のリングを通し、木枠に取り付けた環架とスプリングを鎖で結びます
【発明の詳細な説明】
【技術分野】
【０００１】本発明は災害時に用立てる様に備蓄する時はコンパクトで、組み立てる時は用具が無くとも素早く出来、遮光布を全体に被覆して衣服の着替えが気兼ねなく出来て明るい場所でも眠る事を目的にしました。
【背景技術】
【０００２】ベッドとして単に寝る事だけを目的としたものが大部分です、個人や病院で使用するなら良いのですが見知らぬ多くの人が集まる避難所では数週間やときには数か月に亘って共同生活をするので個人のプライバシーを如何に保つかが大事な事になります。
【先行技術文献】
【０００３】
【特許文献１】特許文献  ２００９−２４０７１９
【特許文献１】特許公開  ２００７−２８９２７９
【特許文献２】特許公開  ２００３−２２５１４２
【０００４】
【非特許文献】
【非特許文献】［レスキューベンチ］  株式会社  ミズノ
【発明の概要】
【発明が解決しようとする課題】
【０００５】避難所での共同生活の中で一人ひとりのプライバシーを如何に守るか、特に婦女子の場合衣服の着替えにも困ります。そして夜寝るときに目上に照明があれば中々熟睡する事は出来ません。
【課題を解決するための手段】
【０００６】被災者一人ひとりを覆う天幕が必要です、身を隠し衣服を着替え、安楽なベッドで気持ちよく眠り、心と体を休む事が大切です  そのため寝た時の空間と自分だけの世界に浸れる様に小さいながら断面をＡ型にしました。
【発明の効果】
【０００７】被災者はそれぞれ精神的・肉体的に多大な苦痛を背負っております。
只一つのベッドですが自分の全体を隠してくれる天幕があれば気分的に大に助かるものです。
【図面の簡単な説明】
【０００８】
【図１】本体木構造の斜視図
【図２】この構造体に天幕を被覆したもの。
【図３】平面図で木枠にマットを広げスプリングに結んだ図
【図４】［図３］を横から見た側面図
【図５】［図３］の前後から見た図
【図６】［図３］の各四隅の平面詳細図
【図７】［図４］の各四隅の断面詳細図
【発明を実施するための形態】
【０００９】本発明は災害用に備蓄するため木材を板状のものを使い全体を棒状にまとめました。工具なしで組み立てるため板がクロス所は上向き下向きの溝を切り互いに嵌め込むだけです。一番初めに立てる板をＡ型にしたのは部材を少なく立てた時に周囲を歩く人の肩に触れない様にしたのです
【実施例】
【００１０】特にベッドに使用するマットは一枚の布では体重で下へ落ち込むのでシートベルトをクロス状に平織りにして  その長手の両側に鎖を通しベッドの木枠に付けたリングの付いたビスとスプリングを結びます。
【産業上の利用可能性】
【００１１】市販の組み立てベッドの多くはビスやボールトに締め付け工具が必要です。
ベッドに用いる木材のスノコやウレタン等の固形のものが多く収納に面積をとられます。
本発明は解体しても直径２０センチ余り、長さ２ｍと極めてコンパクトです。
そして天幕内で着替えができるのも有利です。
【符号の説明】
【００１２】（１）は二枚の板の両端を蝶番で結びＡ型にして間隔をあけて両側に立てる。
（２）板の両端に穴をあけＡ型の先端を差し込む天板となる。
（３）Ａ型の下部の長手方向の両側に渡す板。
（４）板３にクロスしてＡ型の内側に嵌め込む。
（５）板３にクロスしてＡ型の外側に嵌め込む。
（６）板５の上に置きマットを巻いた丸棒１３を押さえ付ける。
（７）板３を載せるためのＵ字型の金属板。
（８）板３に取り付けたリング付きビス。
（９）天開き金具で板５と角材６を結ぶ。
（１０）打ち掛け金具で板５と角材６を結び丸棒１３の動きを止める。
（１１）ベッドの木枠につけたリング付きビスとマットにある鎖を結ぶスプリング。
（１２）シート・ベルトを平織りしたマット。
（１３）マットの前後を巻いた丸棒。
（１４）マットの長手両側に入れた金属リング。
（１５）遮光性の天幕。
（１６）天幕に付けたファスナー。
【図１】
2014004307.tif 000003
【図２】
2014004307.tif 000004
【図３】
2014004307.tif 000005
【図４】
2014004307.tif 000006
【図５】
2014004307.tif 000007
【図６】
2014004307.tif 000008
【図７】
2014004307.tif 000009
(57)【要約】【課題】  これまで漢字クロスワードパズルは基本的に完成した漢字をグリッドに当てはめるものしかなく、漢字の部品を要素とするものは提供されていなかった。また、部首・部品に着目したパズルは存在したものの、形態やルールの特殊性などにより普及には至っていなかった。さらに、漢字を部品に分解する基準が曖昧だったため、漢字の成り立ちを正しく学習するための教材として活用することはできなかった。【解決手段】  タテ・ヨコのカギ（ヒント）から解答した漢字１字を、部首を基本単位とする部品に分解し、その部品をグリッドの白マスに当てはめるようにしたことで、漢字の学習にも役立つ漢字部品クロスワードパズルを成立させた。【選択図】図４
2014004302.tif 000002
【特許請求の範囲】
【請求項１】
漢字を部品に分解し、その部品をグリッドの白マスに当てはめて完成させるクロスワードパズル。これまでクロスワードパズルとして一般に認識されている要素（形態やルール）については、請求の範囲としない。
【発明の詳細な説明】
【技術分野】
【０００１】  本発明は漢字の部品を用いた新しいクロスワードパズルに関する。
【背景技術】
【０００２】  クロスワードパズルは、カギと呼ばれるヒントからグリッド（枠）の中のタテ・ヨコに交差する白マスに単語・熟語を当てはめ、パズルを完成させるゲームである。鉛筆一本で楽しめる手軽さ、ルールのわかりやすさ、知的好奇心や達成感を満足させる面白さといった理由から、雑誌・新聞・広告・インターネットなどさまざまな媒体に掲載され、老若男女を問わず幅広い遊戯者に親しまれている。【０００３】  我が国では白マスにカタカナを当てはめる種類がもっともポピュラーだが、漢字を用いるクロスワードパズルも人気を集めている（例えば、非特許文献１参照）。また、漢字を用いるパズルとしては、クロスワードのほかにも多様な種類が存在する（例えば、非特許文献２）。
【先行技術文献】
【非特許文献】
【０００４】
【非特許文献１】  「クロスワードＤａｙ２０１２年７月号」、株式会社双葉社、２０１２年、Ｐ８５
【非特許文献２】  「漢字横丁」、株式会社ニコリ、２０１１年、Ｐ６０−６１
【発明の概要】
【発明が解決しようとする課題】
【０００５】  以上に述べたクロスワードを含む漢字パズルでは、すべての白マスに当てはめる要素に漢字の部品を用いる漢字クロスワード、ならびにクロスワードの形態をとる漢字分解・組み立てのパズルは、これまで提案されていなかった。
【課題を解決するための手段】
【０００６】  本発明は、カギから導き出した漢字１字を、一般的な漢字辞典の基準において部首となりえる最大の部品に分解し、その部品を白マスに当てはめる要素とすることで、漢字の部品を用いたクロスワードパズルを成立させたものである。
【発明の効果】
【０００７】  本発明によって、遊戯者は従来になかった新しい漢字クロスワードパズルに興じることができる。また、部品への分解、ならびに組み立てを行う漢字パズルを、ルールがもっとも単純でわかりやすいクロスワードの形態で楽しむことができる。【０００８】  さらには、以上の理由によって、クロスワードパズルを楽しみながら漢字の学習効果や脳の活性効果を幅広い遊戯者層において期待できる。
【図面の簡単な説明】
【０００９】
【図１】  本発明のグリッド（枠）の一例
【図２】  同チェック表の一例
【図３】  同カギ（ヒント）の一例
【図４】  同解答の一例
【発明を実施するための形態】
【００１０】  以下、本発明を実施するための形態を、遊戯方法に基づいて説明する。
【００１１】  図３のカギそれぞれの答えとなる漢字１字を図２のチェック表に記入する。
【００１２】  上記の漢字を部品に分解する。分解は、解答が過度に難解になることを避け、また漢字の正しい学習に役立つよう、部首となりえる最大の部品までとすることが望ましい。例え
2014004302.tif 000003
の３つではなく、「黒」「犬」の２つとする。
【００１３】  上記の部品を図１のグリッドの白マスに記入する。タテ・ヨコの各要素を適切に当てはめる点は通常のクロスワードパズルと同じだが、本発明は白マスへの記入が順不同である点が異なる。つまり、それぞれの交差・連携が成立するように部品を配置する必要があり、それが漢字の分解とともに本発明の特徴となる。
【００１４】  以上の作業によってすべての白マスを正しく埋めることができれば、クロスワードパズルは成立する。さらに通常のクロスワードパズルと同じように、例えば二重囲いや別色などを施した特定のマスを複数設定し、そこへ当てはまる部品を組み立ててできる漢字１字を最終解答とするような仕掛けを作ることで、本発明を解く楽しさをいっそう高めることができる。
【図１】
2014004302.tif 000004
【図２】
2014004302.tif 000005
【図３】
2014004302.tif 000006
【図４】
2014004302.tif 000007
(57)【要約】【課題】自動調心ころ軸受を重荷重条件で使用する場合に、外輪及び内輪の軌道面と、ころの軸方向両端部との接触部に生じるエッジロードを、簡便な方法で緩和した自動調心ころ軸受を提供する。【解決手段】ころに、無負荷の状態で外輪及び内輪の軌道面との隙間を有するようなだらし部を形成する。だらし部はころの転動面と面取り部との間に、ベルトサンダーやポリッシング等により形成する。だらし部を形成する範囲は、ころの軸方向全長の５％以上１５％以下の範囲が好ましい。【選択図】図２
2014167329.tif 000002
【特許請求の範囲】
【請求項１】
内周面に球面状の軌道面を有する外輪と、外周面に前記外輪軌道面に対向する複列の軌道面を有する内輪と、前記複列の軌道面に転動自在に配置される複数のころと、前記ころを転動方向に等間隔に保持する保持器と、を備えた複列自動調心ころ軸受において、ころは、転動面と、軸方向両端部の面取りとの間に、ころ転動面の外輪及び内輪の軌道面との隙間がころ端部にむかって増加するように、だらし形状が形成されていることを特徴とする自動調心ころ軸受。
【請求項２】
請求項１に記載されている自動調心ころ軸受であって、だらし形状の範囲は、ころの軸方向全長の５％以上１５％以下であることを特徴とする自動調心ころ軸受。
【発明の詳細な説明】
【技術分野】
【０００１】
本発明は、大きな負荷や自重によって撓みを生じる回転軸を支持するための自動調心ころ軸受に関するものである。
【背景技術】
【０００２】
鉄鋼設備や製紙機械のロール等で用いられる自動調心ころ軸受は、図１に示すような構成となっている。内周面に球面状の軌道面１ａを有する外輪１と、外径面に外輪１の軌道面１ａと対向する複列の球面状の軌道面２ａを有する内輪２と、外輪１及び内輪１の軌道面１ａ、２ａの間を転動自在且つ複列に配置される複数のころ３と、ころ３の転動方向の間隔を一定に保持する保持器４と、を備えている。
【０００３】
図１に示す自動調心ころ軸受において重荷重を受ける場合、ころ３の転動面と、外輪軌道面１ａとの接触部、及び、ころ３の転動面と、内輪軌道面２ａとの接触部の、それぞれころ３の軸方向端部にエッジロードが発生し、軸受損傷による寿命低下の原因となることがある。
【０００４】
上記エッジロードを防止する手段として、特許文献１には、ころの転動面と、ころ端部面取りとの角を数値限定を設けたＲ形状とすることで、エッジロードを緩和する発明が開示されている。
【先行技術文献】
【特許文献】
【０００５】
【特許文献１】特開昭６１−１３２０２６号公報
【発明の概要】
【発明が解決しようとする課題】
【０００６】
しかしながら、ころの面取りと転動面とのかどに所定寸法のＲ形状を形成するのは製造上の工程追加が必要であり、コスト上昇の原因となる虞があった。
【０００７】
本発明は上記課題を解決するものであり、自動調心ころ軸受のころに簡易且つ安価な加工を施してころ端部の形状を改良し、エッジロードを緩和することを目的とする。
【課題を解決するための手段】
【０００８】
上記目的を達成するため、本発明の請求項１に係る発明は、内周面に球面状の軌道面を有する外輪と、外周面に前記外輪軌道面に対向する複列の軌道面を有する内輪と、前記複列の軌道面に転動自在に配置される複数のころと、前記ころを転動方向に等間隔に保持する保持器と、を備えた複列自動調心ころ軸受において、ころは、転動面と、軸方向両端部の面取りとの間に、ころ転動面の外輪及び内輪の軌道面との隙間がころ端部にむかって増加するように、だらし形状が形成されていることを特徴とする。
また、請求項２に記載の発明は、請求項１に記載されている自動調心ころ軸受であって、だらし形状の範囲は、ころの軸方向全長の５％以上１５％以下であることを特徴とする。
【発明の効果】
【０００９】
本発明のよれば、ころ端部の面取りと、ころ転動面との間にだらし形状を形成することによって、ころと外輪及び内輪との間に生じるエッジロードを緩和し、はく離の発生による軸受寿命の低下を防止することが可能である。
【図面の簡単な説明】
【００１０】
【図１】本発明及び、従来の自動調心ころ軸受の構成を示す図である。
【図２】本発明による自動調心ころ軸受のころ形状を示す図である。
【発明を実施するための形態】
【００１１】
以下に、本発明の実施系体を図に基づいて説明する。
図１は、本発明による自動調心ころ軸受の実施形態の一例である。複列自動調心ころ軸受１０は、内周面に球面状の軌道面を有する外輪１と、外周面に外輪１の軌道面と対向する複列の軌道面を有する内輪２と、前記軌道面の間に転動自在に配置される複数のころ３と、ころを周方向に略等間隔に保持する保持器４と、から構成される。ころ３は、図２に示すように、転動面３ａところ端面の面取り３ｃと、転動面３ａと面取り３ｃとの間にだらし部３ｂが形成されている。だらし部３ｂは、無負荷の状態で、外輪軌道面及び内輪軌道面との間に隙間を生じる形状とする。だらし部３ｂの形成方法としては、ベルトサンダーや、ポリッシング等の簡便な加工により形成することが可能である。ころ両端に形成しただらし部３ｂのころ全長に対する割合は、ころ３の全長の５％以上１５％以下であることが好ましく、７％以上１０％以下であることがより好ましい。５％以下であると、だらし形状による外輪及び内輪の軌道面との隙間が少なく、重荷重条件でのエッジロード軽減効果が不充分となるため好ましくない。また、１５％以上であると、ころ３の転動面が狭くなりすぎ、転動面における面圧が増加し、軸受寿命が低下する虞があり好ましくない。
【符号の説明】
【００１２】
１   外輪
２
内輪
３  
ころ
３ａ  転動面
３ｂ  だらし部
３ｃ  面取り
４  
保持器
【図１】
2014167329.tif 000003
【図２】
2014167329.tif 000004
(57)【要約】【課題】複列自動調心ころ軸受において、ころの列間にある案内輪が、両列のころによりはさまれる様な場合に、ころと案内輪との摺接部で過大な荷重が生じることによる磨耗を防止する。【解決手段】案内輪の外径面及び内径面の少なくとも一方に環状溝を形成し、案内輪案内面で受ける荷重により弾性変形する構造とする。案内輪がころから荷重を受けても、案内輪が弾性変形することでその荷重を逃がし、ころと案内輪との摺接部で過大な荷重が生じるのを防止する。【選択図】図１
2014167316.tif 000002
【特許請求の範囲】
【請求項１】
内周面に球面状の軌道面を有する外輪と、外周面に前記外輪軌道面に対向する複列の軌道面を有する内輪と、前記複列の軌道面に転動自在に配置される複数のころと、前記ころの列間に配置されて前記ころを案内する案内輪と、を備えた複列自動調心ころ軸受において、
案内輪の内径は内輪外径面で案内され、且つ、案内輪の外径面及び、内径面の少なくとも一方に環状溝が形成されていることを特徴とする複列自動調心ころ軸受。
【発明の詳細な説明】
【技術分野】
【０００１】
本発明は、産業機械に用いられる転がり軸受、特に、案内輪を有する複列の自動調心ころ軸受に関する。
【背景技術】
【０００２】
鉄鋼設備や製紙機械のロール等で用いられる自動調心ころ軸受は、内周面に球面状の軌道面を有する外輪と、外径面に外輪の軌道面と対向する複列の球面状の軌道面を有する内輪と、外輪及び内輪の軌道面の間を転動自在且つ複列に配置される複数のころと、ころの転動方向の間隔を一定に保持する保持器と、を備えている。このような自動調心ころ軸受においては、複列に配置されたのころがスキューすることなく転動できる様、ころの端面を案内する案内輪をころの列間に配置することが行われている。
【０００３】
案内輪によるころのスキュー防止の効果は、一般的にころと案内輪との隙間が小さい程大きく、隙間が大きくなるほどスキュー防止の効果が小さくなる。その一方で、ころと案内輪との隙間が小さいと、ころと案内輪との接触部で生じる面圧が高くなり、発熱や磨耗の原因となる虞がある。そのため、ころと案内輪との隙間を一定の範囲に収まるようにする必要があるが、それには軸受及び案内輪に対する高い加工精度が必要であり、加工時間や加工費用の増大を招く虞があった。
【０００４】
案内輪の磨耗対策に関する先行技術として、特許文献１には、案内輪の両側面に周方向の溝を形成し、ころ端面と案内輪側面との間の油膜切れによる案内輪の磨耗を防止する発明が開示されている。また、特許文献２には、内輪案内の案内輪内径に、油溝を形成し、内輪外径面に設けた潤滑油の給油通路から潤滑油を供給してころ端面と案内輪側面との間の油膜切れによる案内輪の磨耗を防止する発明が開示されている。
【先行技術文献】
【特許文献】
【０００５】
【特許文献１】特開２００７−３１５４５０号公報
【特許文献２】特開２００８−１２１７５５号公報
【発明の概要】
【発明が解決しようとする課題】
【０００６】
しかし、特許文献１、特許文献２に記載の発明はころ端面と案内輪との間に生じる過大な荷重自体を低減することが出来ないという課題があった。
【０００７】
そこで、本発明はころ端面と案内輪側面との摺接部に過大な荷重が生じるのを防止し、案内輪の磨耗を防止することを課題とする。
【課題を解決するための手段】
【０００８】
上記課題を解決するために、請求項１に記載の発明は、内周面に球面状の軌道面を有する外輪と、外周面に前記外輪軌道面に対向する複列の軌道面を有する内輪と、前記複列の軌道面に転動自在に配置される複数のころと、前記ころの列間に配置されて前記ころを案内する案内輪と、を備えた複列自動調心ころ軸受において、案内輪の内径は内輪外径面で案内され、且つ、案内輪の外径面及び、内径面の少なくとも一方に環状溝が形成されていることを特徴としている。
【発明の効果】
【０００９】
本発明によれば、案内輪の外径面、又は内径面に環状溝を設けることで、案内輪側面がころ端面により押圧される際に案内輪が弾性変形し、ころ端面と案内輪側面との接触部に生じる面圧が過大に上昇するのを防止することで、案内輪の磨耗を防止することができる。
それに伴い、ころ端面と案内輪との隙間をころのスキュー制御に有利となる様小さくすることができる。
【図面の簡単な説明】
【００１０】
【図１】本発明の実施形態の一例を示す図である。
【図２】図1の案内輪とその周辺を拡大した図であり、（ａ）はころと案内輪との間に隙間を有する状態、（ｂ）は案内輪が両列のころに挟まれた状態を示す。
【図３】本発明の実施形態のもう一つの例を示す図である。
【発明を実施するための形態】
【００１１】
以下に、本発明の実施形態を図に基づいて説明する。
図１は本発明に係る複列自動調心ころ軸受の実施形態の一例である。複列自動調心ころ軸受１０は、内周面に球面状の軌道面を有する外輪１と、外周面に外輪１の軌道面と対向する複列の軌道面を有する内輪２と、前記軌道面の間に転動自在に配置される複数のころ３と、ころを周方向に略等間隔に保持する保持器４と、ころ３の列間に配置される案内輪５と、から構成される。案内輪５の両側面はころ３の端面と対面している。案内輪５の内径面には環状溝５ａが形成されており、案内輪５の弾性変形を可能としている。図２（ａ）に示すように、ころ３に軸方向（図中左右方向）荷重が生じていない場合は、ころ３の端面と、案内輪５の側面との間に隙間を有するが、図２（ｂ）に示すように、ころ３に軸方向荷重が生じる等により案内輪５の側面がころ３の端面で押圧された場合にも、案内輪５が軸方向に弾性変形することでころ３からの荷重を低減し、案内輪５ところ３の端面との接触部６に過大な荷重が生じるのを防ぐことができる。
【００１２】
案内輪５に形成する環状溝５ａの径方向深さは、案内輪５が軸方向に弾性変形し易いように、案内輪５の側面ところ３の端面との接触部６よりも深くすることが好ましい。また、案内輪５が弾性変形する際に環状溝５ａに応力集中が生じない様、環状溝５ａの底面と、側面との境目が曲面で接続されていることが好ましく、底面が曲面で形成されていることがより好ましい。
【００１３】
図３に本発明に係る第２の実施形態を示す。
案内輪５の環状溝５ｂを外径面に形成することで、ころ３から荷重を受けた場合に、案内輪５が軸方向に弾性変形することで、荷重を低減することができる。他の構成は図１の実施形態と同様である。これらの実施形態は、ころ３と案内輪５との接触部６の位置により、選択できる。
【００１４】
なお、上記に示した案内輪５及び環状溝５ａ、５ｂの形態は図１乃至図３に示したものに限定されるものではない。例えば、上記実施例では案内輪５を内輪外径案内としているが、外輪内径案内としても良い。
【符号の説明】
【００１５】
１   外輪
２   内輪
３   ころ
４   保持器
５   案内輪
５ａ 環状溝（案内輪内径側）
５ｂ 環状溝（案内輪外径側）
６   ころ端面と案内輪側面との接触部
１０  複列自動調心ころ軸受
【図１】
2014167316.tif 000003
【図２】
2014167316.tif 000004
【図３】
2014167316.tif 000005